【手続補正書】
【提出日】平成22年7月12日(2010.7.12)
【手続補正１】
【補正対象書類名】特許請求の範囲
【補正対象項目名】全文
【補正方法】変更
【補正の内容】
【特許請求の範囲】
【請求項１】
装置本体に対して引き込み／引き出し自在に設けられるディスクトレイと、前記装置本体に引き込まれたディスクトレイ上の記録媒体に所定の加工処理を施す加工部とを備えた記録媒体加工装置において、
前記加工部における前記加工処理の後、前記装置本体から引き出されたディスクトレイ上から記録媒体を取り除く記録媒体除去部と、
前記記録媒体除去部により前記記録媒体が取り除かれた後、前記装置本体に引き込まれた前記ディスクトレイ上に他に記録媒体があるか否かを検出する記録媒体検出部と、
を備え、
前記記録媒体検出部により、前記ディスクトレイ上に他に記録媒体があると検出された場合、前記記録媒体が重送されたと判別する
ことを特徴とする記録媒体加工装置。
【請求項２】
請求項１記載の記録媒体加工装置において、
前記記録媒体検出部により、前記ディスクトレイ上に他に記録媒体があると検出された場合、前記ディスクトレイは前記装置本体から引き出されること、
を特徴とする記録媒体加工装置。
【請求項３】
請求項１または２記載の記録媒体加工装置において、
前記加工部は、前記記録媒体としての光学的記録媒体に、前記所定の加工処理として前記ディスクトレイ上の前記記録媒体を回転させながら、所定のデータ記録位置に光学的にデータ記録処理を施すこと、
を特徴とする記録媒体加工装置。
【請求項４】
装置本体に対して引き込み／引き出し自在に設けられるディスクトレイと、前記ディスクトレイ上に記録媒体があるか否かを検出する記録媒体検出部と、前記装置本体に引き込まれたディスクトレイ上の記録媒体に所定の加工処理を施す加工部と、前記加工部における前記加工処理時のエラーを検出するエラー検出部と、前記装置本体から引き出されたディスクトレイ上から記録媒体を取り除く記録媒体除去部とを備えた記録媒体加工装置を制御するための記録媒体加工制御装置であって、
前記加工部における前記所定の加工処理の後、前記ディスクトレイを前記装置本体から引き出させ、前記記録媒体除去部によりディスクトレイ上から記録媒体を取り除かせる記録媒体除去制御部と、
前記記録媒体除去部により前記記録媒体を取り除かせた後、前記ディスクトレイを前記装置本体に引き込ませて、前記記録媒体検出部により前記ディスクトレイ上の記録媒体の有無を検出させ、前記ディスクトレイ上に記録媒体が有ると検出された場合、前記ディスクトレイに前記記録媒体が重送されたと判別する重送判別部と、
を備えることを特徴とする記録媒体加工制御装置。
【請求項５】
請求項４に記載の記録媒体加工制御装置において、
前記重送判別部によりディスクトレイに記録媒体が重送されたと判別された場合と、記録媒体が重送されていないと判別された場合とは、前記記録媒体加工装置に対して異なるエラー復帰処理を行わせるように制御するエラー復帰制御部を備えたこと、
を特徴とする記録媒体加工制御装置。
【請求項６】
装置本体に対して引き込み／引き出し自在に設けられるディスクトレイと、前記ディスクトレイ上に記録媒体があるか否かを検出する記録媒体検出部と、前記装置本体に引き込まれたディスクトレイ上の記録媒体に所定の加工処理を施す加工部と、前記加工部における前記加工処理時のエラーを検出するエラー検出部と、前記装置本体から引き出されたディスクトレイ上から記録媒体を取り除く記録媒体除去部とを備えた記録媒体加工装置を制御するための記録媒体加工装置の制御方法であって、
前記加工部における前記所定の加工処理の後、前記記録媒体除去部により装置本体から引き出されたディスクトレイ上から記録媒体を取り除く過程と、
前記記録媒体除去部により前記記録媒体が取り除かれた後、前記ディスクトレイを前記装置本体に引き込み、前記記録媒体検出部により前記ディスクトレイ上の記録媒体の有無を検出させて、前記ディスクトレイに前記記録媒体が重送されたか否かを判別する過程と、
を備えたことを特徴とする記録媒体加工装置の制御方法。
【請求項７】
装置本体に対して引き込み／引き出し自在に設けられるディスクトレイと、前記ディスクトレイ上に記録媒体があるか否かを検出する記録媒体検出部と、前記装置本体に引き込まれたディスクトレイ上の記録媒体に所定の加工処理を施す加工部と、前記加工部における前記加工処理時のエラーを検出するエラー検出部と、前記装置本体から引き出されたディスクトレイ上から記録媒体を取り除く記録媒体除去部とを備えた記録媒体加工装置を制御するための制御プログラムであって、
前記加工部における前記所定の加工処理の後、前記記録媒体除去部により装置本体から引き出されたディスクトレイ上から記録媒体を取り除かせ、
前記記録媒体除去部により前記記録媒体が取り除かれた後、前記ディスクトレイを前記装置本体に引き込み、前記記録媒体検出部により前記ディスクトレイ上の記録媒体の有無を検出させて、前記ディスクトレイに前記記録媒体が重送されたか否かを判別させること、
を特徴とする制御プログラム。
【手続補正２】
【補正対象書類名】明細書
【補正対象項目名】０００４
【補正方法】変更
【補正の内容】
【０００４】
上記課題を解決するため、本発明の記録媒体加工装置は、装置本体に対して引き込み／引き出し自在に設けられるディスクトレイと、前記装置本体に引き込まれたディスクトレイ上の記録媒体に所定の加工処理を施す加工部とを備えた記録媒体加工装置において、前記加工部における前記加工処理の後、前記装置本体から引き出されたディスクトレイ上から記録媒体を取り除く記録媒体除去部と、前記記録媒体除去部により前記記録媒体が取り除かれた後、前記装置本体に引き込まれた前記ディスクトレイ上に他に記録媒体があるか否かを検出する記録媒体検出部と、を備え、前記記録媒体検出部により、前記ディスクトレイ上に他に記録媒体があると検出された場合、前記記録媒体が重送されたと判別することを特徴とする。
上記構成によれば、記録媒体除去部は、前記加工部における前記加工処理の後、前記装置本体から引き出されたディスクトレイ上から記録媒体を取り除く。そして、記録媒体検出部は、記録媒体除去部により前記記録媒体が取り除かれた後、前記装置本体に引き込まれた前記ディスクトレイ上に他に記録媒体があるか否かを検出する。これにより、記録媒体検出部により、ディスクトレイ上に他に記録媒体があると検出された場合、記録媒体が重送されたと判別する。
したがって、加工処理時に生じたエラーが記録媒体の重送に原因があると判別でき、ディスクトレイ上に残った記録媒体を取り除くなどして、記録媒体の重送を原因とするエラーが繰り返し発生するのを防止することができる。
ここで、記録媒体として、例えば、レーザ光等を利用したデータの追記および読み取りが可能な光学的記録媒体を挙げることができ、具体的には、ＣＤ−Ｒ、ＣＤ−ＲＷ、ＤＶＤ±Ｒ、ＤＶＤ±ＲＷ、ＤＶＤ−ＲＡＭ、あるいは、次世代ＤＶＤと呼ばれる光ディスク等を挙げることができる。
また、加工処理部は、例えば、所定の加工処理として記録媒体にデータ記録処理を施すデータ記録部や、記録媒体に設けられた印刷対象面に印刷処理を施す印刷部とすることができる。
【手続補正３】
【補正対象書類名】明細書
【補正対象項目名】０００７
【補正方法】変更
【補正の内容】
【０００７】
また、本発明の記録媒体加工制御装置は、装置本体に対して引き込み／引き出し自在に設けられるディスクトレイと、前記ディスクトレイ上に記録媒体があるか否かを検出する記録媒体検出部と、前記装置本体に引き込まれたディスクトレイ上の記録媒体に所定の加工処理を施す加工部と、前記加工部における前記加工処理時のエラーを検出するエラー検出部と、前記装置本体から引き出されたディスクトレイ上から記録媒体を取り除く記録媒体除去部とを備えた記録媒体加工装置を制御するための記録媒体加工制御装置であって、前記加工部における前記所定の加工処理の後、前記ディスクトレイを前記装置本体から引き出させ、前記記録媒体除去部によりディスクトレイ上から記録媒体を取り除かせる記録媒体除去制御部と、前記記録媒体除去部により前記記録媒体を取り除かせた後、前記ディスクトレイを前記装置本体に引き込ませて、前記記録媒体検出部により前記ディスクトレイ上の記録媒体の有無を検出させ、前記ディスクトレイ上に記録媒体が有ると検出された場合、前記ディスクトレイに前記記録媒体が重送されたと判別する重送判別部と、を備えることを特徴とする。
上記構成によれば、記録媒体除去制御部は、前記加工部における前記所定の加工処理の後、装置本体からディスクトレイを引き出させ、記録媒体除去部によりディスクトレイ上から記録媒体を取り除かせる。そして、重送判別部は、記録媒体除去部により記録媒体が取り除かれた後、ディスクトレイを装置本体に引き込ませて、記録媒体検出部によりディスクトレイ上の記録媒体の有無を検出させ、ディスクトレイ上に記録媒体があることが検出された場合、ディスクトレイに記録媒体が重送されたと判別する。このため、重送判別部の判別結果に基づいて、エラー検出部により検出されたエラーがディスクトレイに対して記録媒体が重送されたことに原因があるのか否かを判別することができる。加工処理時に生じたエラーが記録媒体の重送に原因があると判別できれば、ディスクトレイ上に残った記録媒体を取り除いた上で新たな記録媒体をディスクトレイに供給したり、新たな記録媒体は供給せずディスクトレイ上に残った記録媒体に対して加工処理を再度行わせるなどして、記録媒体の重送を原因とするエラーが繰り返し発生するのを防止することができる。
【手続補正４】
【補正対象書類名】明細書
【補正対象項目名】０００９
【補正方法】変更
【補正の内容】
【０００９】
また、本発明の記録媒体加工装置の制御方法は、装置本体に対して引き込み／引き出し自在に設けられるディスクトレイと、前記ディスクトレイ上に記録媒体があるか否かを検出する記録媒体検出部と、前記装置本体に引き込まれたディスクトレイ上の記録媒体に所定の加工処理を施す加工部と、前記加工部における前記加工処理時のエラーを検出するエラー検出部と、前記装置本体から引き出されたディスクトレイ上から記録媒体を取り除く記録媒体除去部とを備えた記録媒体加工装置を制御するための記録媒体加工装置の制御方法であって、前記加工部における前記所定の加工処理の後、前記記録媒体除去部により装置本体から引き出されたディスクトレイ上から記録媒体を取り除く過程と、
前記記録媒体除去部により前記記録媒体が取り除かれた後、前記ディスクトレイを前記装置本体に引き込み、前記記録媒体検出部により前記ディスクトレイ上の記録媒体の有無を検出させて、前記ディスクトレイに前記記録媒体が重送されたか否かを判別する過程と、を備えたことを特徴とする。
【手続補正５】
【補正対象書類名】明細書
【補正対象項目名】００１０
【補正方法】変更
【補正の内容】
【００１０】
また、本発明の制御プログラムは、装置本体に対して引き込み／引き出し自在に設けられるディスクトレイと、前記ディスクトレイ上に記録媒体があるか否かを検出する記録媒体検出部と、前記装置本体に引き込まれたディスクトレイ上の記録媒体に所定の加工処理を施す加工部と、前記加工部における前記加工処理時のエラーを検出するエラー検出部と、前記装置本体から引き出されたディスクトレイ上から記録媒体を取り除く記録媒体除去部とを備えた記録媒体加工装置を制御するための制御プログラムであって、前記加工部における前記所定の加工処理の後、前記記録媒体除去部により装置本体から引き出されたディスクトレイ上から記録媒体を取り除かせ、前記記録媒体除去部により前記記録媒体が取り除かれた後、前記ディスクトレイを前記装置本体に引き込み、前記記録媒体検出部により前記ディスクトレイ上の記録媒体の有無を検出させて、前記ディスクトレイに前記記録媒体が重送されたか否かを判別させること、を特徴とする。
この場合において、制御プログラムをコンピュータ読取可能な記録媒体に記録するようにしても良い。